(57)【要約】【課題】ユーザの操作を簡易化できる電子天秤及び目標計量値設定方法を提供する。【解決手段】電子天秤１は、操作部４と、読取処理部５と、制御部６とを備える。制御部６には、入力受付部６２と、目標計量値算出部６３とが含まれる。試料を保管する容器１０には、試料に対応付けられる重量割合情報が保持されている保持媒体２０が設けられている。電子天秤１を用いる際には、読取処理部５は、保持媒体２０から重量割合情報を読み取る。入力受付部６２は、ユーザが操作部４を操作して入力した目標採取重量の情報を受け付ける。目標計量値算出部６３は、読取処理部５で読み取られた重量割合情報に基づいて、目標採取重量の対象物質を採取するために必要な測定試料の目標計量値を算出す。そのため、ユーザが電子天秤１上において重量割合情報を入力する作業を省くことができる。その結果、電子天秤１を用いる際のユーザの操作を簡易化できる。【選択図】  図１
2019105597.tif 000002
【特許請求の範囲】
【請求項１】
試料に含有されている対象物質の重量割合を特定するための情報が試料に対応付けて保持された保持媒体から、前記重量割合を特定するための情報を読み取る読取処理部と、
試料に含有される対象物質の目標採取重量の入力を受け付ける入力受付部と、
前記読取処理部で読み取られた情報に基づいて、前記目標採取重量の対象物質を採取するために必要な試料の目標計量値を算出する目標計量値算出部とを備えることを特徴とする電子天秤。
【請求項２】
前記目標計量値算出部により算出された前記目標計量値を表示させる表示処理部をさらに備えることを特徴とする請求項１に記載の電子天秤。
【請求項３】
複数種類の試料を調合する際の各試料の調合情報を記憶部に記憶させる記憶処理部をさらに備え、
前記読取処理部は、前記複数種類の試料にそれぞれ対応付けて前記保持媒体に保持された前記重量割合を特定するための情報を読み取り、
前記目標計量値算出部は、前記読取処理部で読み取られた情報に基づいて、前記複数種類の試料の目標計量値をそれぞれ算出し、
前記記憶処理部は、前記目標計量値算出部により算出された前記複数種類の試料の目標計量値を前記調合情報として前記記憶部に記憶させることを特徴とする請求項１又は２に記載の電子天秤。
【請求項４】
試料に含有されている対象物質の重量割合を特定するための情報が試料に対応付けて保持された保持媒体から、前記重量割合を特定するための情報を読み取る読取ステップと、
試料に含有される対象物質の目標採取重量を入力する入力ステップと、
前記読取ステップで読み取られた情報に基づいて、前記目標採取重量の対象物質を採取するために必要な試料の目標計量値を算出する目標計量値算出ステップとを含むことを特徴とする目標計量値設定方法。
【請求項５】
前記目標計量値算出ステップにより算出された前記目標計量値を表示させる表示ステップをさらに含むことを特徴とする請求項４に記載の目標計量値設定方法。
【請求項６】
複数種類の試料を調合する際の各試料の調合情報を記憶部に記憶させる記憶ステップをさらに含み、
前記読取ステップでは、前記複数種類の試料にそれぞれ対応付けて前記保持媒体に保持された前記重量割合を特定するための情報を読み取り、
前記目標計量値算出ステップでは、前記読取ステップで読み取られた情報に基づいて、前記複数種類の試料の目標計量値をそれぞれ算出し、
前記記憶ステップでは、前記目標計量値算出ステップにより算出された前記複数種類の試料の目標計量値を前記調合情報として前記記憶部に記憶させることを特徴とする請求項４又は５に記載の目標計量値設定方法。
【発明の詳細な説明】
【技術分野】
【０００１】
本発明は、試料を計量し、その計量値を表示部に表示させる電子天秤、及び、試料を計量する際における目標計量値設定方法に関するものである。
【背景技術】
【０００２】
電子天秤を用いて計量を行う場合として、試料中に含有されている特定物を所望する重量だけ計量したい場合がある。このような場合を想定した装置として、試料中に含有される特定物の重量割合情報に基づいて、電子天秤で計量する実際の計量値から特定物の重量を算出する電子天秤が提案されている（例えば、下記特許文献１参照）。
【０００３】
例えば、純度が９８％の測定試料（混合物）に含まれる正味の試料（一の化合物）を１００ｇ計量したい場合には、重量割合情報として９８％という情報が用いられる。そして、この重量割合情報に基づいて、実際の測定試料の計量値から、正味の試料の計量値が算出される。ユーザは、この算出される値が１００ｇとなるまで、電子天秤上に試料を載せることとなる。この場合、実際の測定試料の計量値が約１０２ｇとなった時点で、算出される正味の試料の計量値が１００ｇとなる。
【先行技術文献】
【特許文献】
【０００４】
【特許文献１】特開２０１７−２６４４７号公報
【発明の概要】
【発明が解決しようとする課題】
【０００５】
上記した従来の電子天秤では、計量のたびにユーザが電子天秤上の操作部で重量割合情報を入力していた。また、重量割合情報は、純度の情報のみならず、化合物の分子量や、化合物に含まれる塩、水和水の分子量など、種々の情報を含んでいる。そのため、計量のたびにユーザが煩雑な入力作業を行わなければならないという不具合が生じていた。
本発明は、上記実情に鑑みてなされたものであり、ユーザの操作を簡易化できる電子天秤及び目標計量値設定方法を提供することを目的とする。
【課題を解決するための手段】
【０００６】
（１）本発明に係る電子天秤は、読取処理部と、入力受付部と、目標計量値算出部とを備える。前記読取処理部は、試料に含有されている対象物質の重量割合を特定するための情報が試料に対応付けて保持された保持媒体から、前記重量割合を特定するための情報を読み取る。前記入力受付部は、試料に含有される対象物質の目標採取重量の入力を受け付ける。前記目標計量値算出部は、前記読取処理部で読み取られた情報に基づいて、前記目標採取重量の対象物質を採取するために必要な試料の目標計量値を算出する。
【０００７】
このような構成によれば、読取処理部が保持媒体から重量割合を特定するための情報を読み取り、目標計量値算出部が必要な目標計量値を算出する。
そのため、ユーザが電子天秤の本体において重量割合を特定するための情報を入力する作業を省くことができる。
その結果、電子天秤を用いる際のユーザの操作を簡易化できる。
【０００８】
（２）また、前記電子天秤は、表示処理部をさらに備える。前記表示処理部は、前記目標計量値算出部により算出された前記目標計量値を表示させる。
【０００９】
このような構成によれば、ユーザに対して目標計量値を認識させることができる。そして、ユーザは、その目標計量値を確認しながら試料を計量することができる。
【００１０】
（３）また、前記電子天秤は、記憶処理部をさらに備えてもよい。前記記憶処理部は、複数種類の試料を調合する際の各試料の調合情報を記憶部に記憶させる。前記読取処理部は、前記複数種類の試料にそれぞれ対応付けて前記保持媒体に保持された前記重量割合を特定するための情報を読み取ってもよい。前記目標計量値算出部は、前記読取処理部で読み取られた情報に基づいて、前記複数種類の試料の目標計量値をそれぞれ算出してもよい。前記記憶処理部は、前記目標計量値算出部により算出された前記複数種類の試料の目標計量値を前記調合情報として前記記憶部に記憶させる。
【００１１】
このような構成によれば、複数種類の試料を調合する際に、読取処理部が保持媒体から重量割合を特定するための情報を読み取り、目標計量値算出部が必要な目標計量値を算出する。
そのため、複数種類の試料を調合する際におけるユーザの操作を簡易化できる。
また、複数種類の試料の目標計量値を記憶部に記憶させておくことができる。
そのため、複数種類の試料を再度調合する際に、記憶されている目標計量値を用いて調合することができる。
【００１２】
（４）本発明に係る目標計量値設定方法は、読取ステップと、入力ステップと、目標計量値算出ステップとを含む。前記読取ステップでは、試料に含有されている対象物質の重量割合を特定するための情報が試料に対応付けて保持された保持媒体から、前記重量割合を特定するための情報を読み取る。前記入力ステップでは、試料に含有される対象物質の目標採取重量を入力する。前記目標計量値算出ステップでは、前記読取ステップで読み取られた情報に基づいて、前記目標採取重量の対象物質を採取するために必要な試料の目標計量値を算出する。
【００１３】
（５）また、前記目標計量値設定方法は、表示ステップをさらに含んでもよい。前記表示ステップでは、前記目標計量値算出ステップにより算出された前記目標計量値を表示させる。
【００１４】
（６）また、前記目標計量値設定方法は、記憶ステップをさらに含んでもよい。前記記憶ステップでは、複数種類の試料を調合する際の各試料の調合情報を記憶部に記憶させる。前記読取ステップでは、前記複数種類の試料にそれぞれ対応付けて前記保持媒体に保持された前記重量割合を特定するための情報を読み取ってもよい。前記目標計量値算出ステップでは、前記読取ステップで読み取られた情報に基づいて、前記複数種類の試料の目標計量値をそれぞれ算出してもよい。前記記憶ステップでは、前記目標計量値算出ステップにより算出された前記複数種類の試料の目標計量値を前記調合情報として前記記憶部に記憶させてもよい。
【発明の効果】
【００１５】
本発明によれば、電子天秤では、読取処理部が保持媒体から重量割合を特定するための情報を読み取り、目標計量値算出部が必要な目標計量値を算出する。そのため、ユーザが電子天秤の本体において重量割合を特定するための情報を入力する作業を省くことができる。その結果、電子天秤を用いる際のユーザの操作を簡易化できる。
【図面の簡単な説明】
【００１６】
【図１】本発明の第１実施形態に係る電子天秤の構成例を示したブロック図である。
【図２】図１の制御部の制御動作の一例を示したフローチャートである。
【図３】図１の表示部の表示例を示した図である。
【図４】本発明の第２実施形態に係る電子天秤の構成例を示したブロック図である。
【図５】図４の制御部の制御動作の一例を示したフローチャートである。
【発明を実施するための形態】
【００１７】
１．電子天秤の構成
図１は、本発明の第１実施形態に係る電子天秤１の構成例を示したブロック図である。
電子天秤１は、荷重検出部２、表示部３、操作部４、読取処理部５及び制御部６などを備えている。
【００１８】
荷重検出部２は、秤量皿（図示せず）に載置される試料の荷重を検出する。荷重検出部２は、例えば、電磁式又はロードセル式であり、秤量皿に試料を載置したときの電気信号の変化に基づいて試料の荷重を検出する。
表示部３は、例えば、液晶表示器からなる。
操作部４は、例えば、テンキーなどからなる。
【００１９】
読取処理部５は、情報を保持する保持媒体から、その情報を読み取るためのものである。この例では、読取処理部５は、非接触により保持媒体から情報（重量割合情報）を読み取る。具体的には、読取処理部５は、ＲＦＩＤリーダーや、バーコードリーダーなどの読取装置である。
【００２０】
制御部６は、例えば、ＣＰＵ（Central Processing Unit）を含む構成である。制御部６には、荷重検出部２、表示部３、操作部４及び読取処理部５などが電気的に接続されている。制御部６は、ＣＰＵがプログラムを実行することにより、質量測定部６１、入力受付部６２、目標計量値算出部６３及び表示処理部６４などとして機能する。
【００２１】
質量測定部６１は、荷重検出部２により検出される荷重に基づいて、試料の質量を計測する。具体的には、質量測定部６１は、荷重検出部２により検出される電気信号の変化量を質量に換算することにより、試料の質量を算出する。
【００２２】
入力受付部６２は、ユーザによる操作部４での設定入力を受け付ける。具体的には、入力受付部６２は、試料に含有される対象物質の目標採取重量の入力を受け付ける。
【００２３】
目標計量値算出部６３は、読取処理部５が読み取った情報（重量割合情報）、及び、入力受付部６２が入力を受け付けた目標採取重量に基づいて、試料の目標計量値を算出する。
【００２４】
表示処理部６４は、質量測定部６１により計測される試料の質量、及び、目標計量値算出部６３により算出される目標採取重量を表示部３に表示させる処理を行う。
【００２５】
２．保持媒体及び重量割合情報
この例では、電子天秤１で計量する対象試料が容器１０に保管されている。容器１０には、保持媒体２０が設けられている。保持媒体２０は、ＲＦＩＤや、バーコードなどの情報保持媒体である。保持媒体２０がバーコードである場合には、保持媒体２０は、一次元バーコードでもよく、ＱＲコード（登録商標）などの二次元バーコードでもよい。
【００２６】
この保持媒体２０には、容器１０に保管されている試料の重量割合に関する情報（重量割合情報）が保持されている。具体的には、この情報は、試料に含有されている対象物質の重量割合を特定するための情報（重量割合情報）である。
【００２７】
例えば、水和物中における水和物以外の化合物を計量する場合には、重量割合情報は、水和物の分子量の情報、及び、水和物に含有される水和水の分子量の情報などである。また、化合物の塩中における塩以外の化合物を計量する場合には、重量割合情報は、化合物の塩の分子量の情報、及び、化合物の塩に含有される塩の分子量の情報などである。また、化合物中における母核分子量の量を計量する場合には、重量割合情報は、化合物の分子量の情報、及び、化合物に含有される母核分子量の分子量の情報などである。また、例えば、混合物中における一の化合物を計量する場合には、重量割合情報は、混合物中における一の化合物の重量％の情報である。
【００２８】
このような重量割合情報が、試料に対応付けられて、保持媒体２０に保持されている。なお、重量割合情報は、試料に含有されている対象物質の重量割合を特定するための情報であればよく、上記したものに限られない。
【００２９】
３．電子天秤での具体的動作
図２は、制御部６の制御動作の一例を示したフローチャートである。
電子天秤１を用いて試料に含有される対象物質の重量を測定する場合には、まず、ユーザは、測定試料が保管されている容器１０を準備する。そして、ユーザは、容器１０の保持媒体２０を読取処理部５に近接させて、保持媒体２０が保持する情報（重量割合情報）を読取処理部５に読み取らせる。さらに、ユーザは、操作部４を操作して、測定試料に含有される対象物質の目標採取重量を入力する。入力受付部６２は、目標採取重量の入力を受け付ける。この目標採取重量は、対象物質以外の物質を含む測定試料を計量する際において、ユーザが計量を所望する正味の対象物質の目標測定値である。
【００３０】
このようにして、読取処理部５により保持媒体２０の情報の読み取りが行われ（ステップＳ１０１でＹＥＳ：読取ステップ）、さらに、ユーザにより操作部４が操作されて目標採取重量の入力が行われると（ステップＳ１０２でＹＥＳ：入力ステップ）、目標計量値算出部６３は、これらの情報に基づいて、目標計量値を算出する（ステップ１０３：目標計量値算出ステップ）。
【００３１】
具体的には、目標計量値算出部６３は、目標採取重量の対象物を採取するために必要な測定試料の目標計量値を算出する。より具体的には、目標計量値算出部６３は、入力受付部６２が受け付けた目標採取重量の値から、読取処理部５が読み取った重量割合情報を用いることで、目標採取重量だけ対象物を含有するときの測定試料の重量を目標計量値として算出する。
そして、表示処理部６４は、目標計量値算出部６３が算出した目標計量値を表示部３に表示させる（ステップＳ１０４：表示ステップ）。
。
【００３２】
図３は、表示部３の表示例を示した図である。図３では、測定試料が水和物であって、水和物中における水和物以外の化合物を対象物質として計量する場合が示されている。この場合、読取処理部５が読み取る保持媒体２０の重量割合情報（ステップＳ１０１で読み取る情報）には、水和物の分子量を示す情報などが含まれている。
表示部３には、「目標計量値」、「測定量」及び「採取量」が表示されている。この「目標計量値」の値が、ステップＳ１０４で表示される目標計量値である。
【００３３】
この例では、例えば、ステップ１０２で、ユーザにより目標採取重量として、「０．００１００ｇ」が入力された場合の表示部３の状態が図３で示されている。この場合、目標計量値算出部６３は、目標採取重量の値（０．００１００ｇの情報）から、重量割合情報（水和物の分子量を示す情報など）を用いることで、目標採取重量だけ対象物を含有するときの測定試料（水和物）の重量を目標計量値として算出する。この例では、この目標計量値が「０．００１１８ｇ」として算出されて、表示部３に表示される。この表示は、目標計量値である０．００１１８ｇだけ測定試料（水和物）を計量したときに、対象物質の化合物の重量が０．００１００ｇとなることを表している。
【００３４】
また、表示部３で表示される「測定量」は、秤量皿に載置されている実際の測定試料の重量を示しており、「採取量」は、秤量皿に載置されている測定試料に含有される正味の対象物質の重量を示している。
電子天秤１において、秤量皿に測定試料を載置する前は、表示部３に表示される「測定量」及び「採取量」の値は、０を示している。
【００３５】
電子天秤１において、表示部３に「目標計量値」の値が表示されると、ユーザは、電子天秤１の表示部３の「目標計量値」の値を確認しながら、秤量皿上に測定試料を載置していく。これにより、秤量皿に載置されている実際の測定試料の重量の値として、「測定量」の値が徐々に増加する。また、秤量皿に載置されている測定試料に含有される正味の対象物質の重量として、「採取量」の値が徐々に増加する。
【００３６】
そして、ユーザは、「測定量」の値が「目標計量値」の値と一致したところで、測定試料の載置動作を停止して、電子天秤１における計量を完了させる。このとき、「採取量」の値は、ユーザが入力した目標採取重量と一致する。すなわち、この例では、「測定量」の値が「０．００１１８ｇ」となったところで、電子天秤１における計量が完了する。このとき、「採取量」の値は、「０．００１００ｇ」となる。
【００３７】
４．作用効果
（１）本実施形態によれば、図１に示すように、電子天秤１は、操作部４と、読取処理部５と、制御部６とを備える。制御部６には、入力受付部６２と、目標計量値算出部６３とが含まれる。また、試料を保管する容器１０には、試料に対応付けられる重量割合情報が保持される保持媒体２０が設けられている。電子天秤１を用いる際には、読取処理部５は、保持媒体２０から重量割合情報を読み取る（図２のステップＳ１０１：読取ステップ）。入力受付部６２は、ユーザが操作部４を操作して入力した目標採取重量の情報を受け付ける（ステップＳ１０２：入力ステップ）。目標計量値算出部６３は、読取処理部５で読み取られた重量割合情報に基づいて、目標採取重量の対象物質を採取するために必要な測定試料の目標計量値を算出する（ステップ１０３：目標計量値算出ステップ）。
【００３８】
そのため、ユーザが電子天秤１上において重量割合情報を入力する作業を省くことができる。
その結果、電子天秤１を用いる際のユーザの操作を簡易化できる。また、ユーザの入力ミスを少なくできる。
【００３９】
（２）また、電子天秤１において、制御部６には表示処理部６４が含まれる。表示処理部６４は、目標計量値算出部６３により算出された目標計量値を表示部３に表示させる（ステップＳ１０４：表示ステップ）。
【００４０】
そのため、ユーザに対して目標計量値を認識させることができる。そして、ユーザは、その目標計量値を確認しながら試料を計量することができる。
【００４１】
５．第２実施形態
以下では、図４及び図５を用いて、本発明の第２実施形態について説明する。なお、第１実施形態と同様の構成については、上記と同様の符号を用いることにより説明を省略する。
図４は、本発明の第２実施形態に係る電子天秤１の構成例を示したブロック図である。
第２実施形態では、目標計量値算出部６３が算出した目標計量値が、調合情報として記憶される点が、第１実施形態と異なる。
【００４２】
具体的には、第２実施形態では、電子天秤１は、複数種類の試料を調合する場合において、各試料を計測する際に用いられる。また、電子天秤１は、制御部６と電気的に接続される記憶部３０をさらに備えている。制御部６には、記憶処理部６５が含まれている。
【００４３】
図５は、制御部６の制御動作の一例を示したフローチャートである。図５におけるステップＳ２０１〜Ｓ２０４のそれぞれの処理は、第１実施形態（図２）におけるステップＳ１０１〜Ｓ１０４のそれぞれの処理に対応している。
【００４４】
第２実施形態では、ユーザは、調合対象である複数の試料がそれぞれ保管される複数の容器１０を準備する。具体的には、各容器１０内には、調合対象である対象物質を含有する試料（測定試料）が保管されている。
【００４５】
そして、ユーザは、１つの容器１０を選択するとともに、その容器１０の保持媒体２０を読取処理部５に近接させて、保持媒体２０が保持する情報（重量割合情報）を読取処理部５に読み取らせる（ステップＳ２０１でＹＥＳ：読取ステップ）。さらに、ユーザは、操作部４を操作して、測定試料に含有される対象物質（調合対象物質）の目標採取重量を入力する（ステップＳ２０２でＹＥＳ：入力ステップ）。
【００４６】
その後は、上記と同様に、入力受付部６２により目標採取重量の入力が受け付けられ、目標計量値算出部６３により目標計量値が算出される（ステップ２０３：目標計量値算出ステップ）。また、表示処理部６４により目標計量値が表示部３に表示される（ステップＳ２０４：表示ステップ）。
【００４７】
そして、ユーザは、電子天秤１の秤量皿上に測定試料を載置し、表示部３で示す「測定量」の値が「目標計量値」の値と一致したところで、測定試料の載置動作を停止して、電子天秤１における計量を完了させる。このとき、表示部３で示す「採取量」の値は、調合対象である対象物質の目標採取重量（目標調合量）と一致する。
また、記憶処理部６５は、目標計量値算出部６３が算出した目標計量値を調合情報３１として記憶部３０に記憶させる（ステップＳ２０５：記憶ステップ）。
【００４８】
その後は、調合対象である対象物質を含む他の測定試料（他の容器１０）がある場合には（ステップＳ２０６でＮＯ）、ステップＳ２０１〜Ｓ２０５の処理が繰り返される。このとき、目標計量値算出部６３が算出する目標計量値は、調合情報３１として記憶部３０に記憶される。そして、全ての容器１０の測定試料が計量されると（ステップＳ２０６でＹＥＳ）、電子天秤１での操作が完了する。
【００４９】
また、その後に電子天秤１を用いて同様に調合を行う場合には、表示処理部６４は、表示部３に調合情報３１を表示させる。このようにすれば、再度調合を行う際に、調合情報３１を参考にして、正確に調合を行うことができる。
なお、上記した処理において、ステップＳ２０２の処理の処理行った後に、ステップＳ２０１の処理を行ってもよい（ステップＳ２０１の処理とステップＳ２０２の処理とを逆に行ってもよい）。例えば、試料が複数ある場合に、先にまとめて目標採取重量を入力し、その後、保持媒体２０が保持する情報（重量割合情報）を読み取る処理を行ってもよい。
【００５０】
このように、第２実施形態によれば、複数種類の試料を調合する際に、読取処理部５が各保持媒体２０から重量割合を特定するための情報を読み取り、目標計量値算出部６３が必要な目標計量値を算出する。
【００５１】
そのため、複数種類の試料を調合する際におけるユーザの操作を簡易化できる。また、ユーザの入力ミスを少なくできる。
また、電子天秤１において、複数種類の試料の目標計量値を調合情報３１として記憶部３０に記憶させておくことができる。
そのため、複数種類の試料を再度調合する際に、記憶されている目標計量値（調合情報３１）を用いて正確に調合することができる。
【００５２】
６．変形例
上記した実施形態では、保持媒体２０には、重量割合情報が保持されるとして説明した。しかし、電子天秤１に重量割合情報が記憶され、この重量割合情報に紐づけられる情報が、重量割合を特定するための情報として保持媒体２０に保持されていてもよい。例えば、電子天秤１に重量割合情報が記憶され、保持媒体２０に試料名の情報を保持しておき、読取処理部５が保持媒体２０の情報を読み取ったときに、電子天秤１において対応する重量割合情報が選択される構成であってもよい。
【符号の説明】
【００５３】
１      電子天秤
５      読取処理部
６      制御部
２０    保持媒体
３０    記憶部
３１    調合情報
６２    入力受付部
６３    目標計量値算出部
６４    表示処理部
６５    記憶処理部
【図１】
2019105597.tif 000003
【図２】
2019105597.tif 000004
【図３】
2019105597.tif 000005
【図４】
2019105597.tif 000006
【図５】
2019105597.tif 000007